(57)【要約】【課題】印刷物そのものの光沢感や質感を、測色器を用いることなくソフトプルーフに反映させる。【解決手段】画像形成部が画像形成出力に際して参照する描画情報に基づいて生成された情報であって前記画像形成出力の結果を示す情報である出力結果情報を生成し、前記画像形成部が画像形成出力に際して画素ごとに使用される着色剤の量を、画素ごとに前記描画情報に基づいて算出し、前記着色剤の量ごとに決定される輝度比情報である輝度比テーブルおよび前記着色剤の量の情報に基づいて前記着色剤の量ごとに決定される輝度比情報である輝度比テーブルおよび前記着色剤の量の情報に基づいて、前記画素に適用させる輝度比を当該画素ごとに算出し、前記輝度比を前記画素に適用させるか否かが定められた情報である輝度比適用情報と算出された前記輝度比とに基づいて、前記出力結果情報に対して輝度補正を実行して補正後出力結果情報を生成し、前記補正後出力結果情報を表示部に表示させる。【選択図】図６
2018088589.tif 000002
【特許請求の範囲】
【請求項１】
画像形成部が画像形成出力に際して参照する描画情報に基づいて生成された情報であって前記画像形成出力の結果を示す情報である出力結果情報を表示部に表示させる表示制御部と、
前記出力結果情報を生成する出力結果情報生成部と、
前記画像形成部が前記画像形成出力に際して画素ごとに使用される着色剤の量を、前記描画情報に基づいて算出する着色剤量算出部と、
前記着色剤の量ごとに決定される輝度比情報である輝度比テーブルおよび前記着色剤の量の情報に基づいて、前記画素に適用させる輝度比を当該画素ごとに算出する輝度比情報算出部と、
前記輝度比を前記画素に適用させるか否かが定められた情報である輝度比適用情報と算出された前記輝度比とに基づいて、前記出力結果情報に対して輝度補正を実行して補正後出力結果情報を生成する補正後出力結果情報生成部と、
を含み、
前記表示制御部は、
前記補正後出力結果情報を前記表示部に表示させることを特徴とする画像処理装置。
【請求項２】
画像処理装置のユーザによって前記着色剤の量ごとに指定された輝度比情報に基づいて前記輝度比テーブルを生成する輝度比テーブル生成部を含むことを特徴とする請求項１に記載の画像処理装置。
【請求項３】
前記表示制御部は、
前記着色剤の量ごとに、輝度値が互いに異なる複数の領域を含む複数の画像情報を前記表示部に表示させ、
前記輝度比テーブル生成部は、
前記ユーザによって指定された前記画像情報に含まれる前記輝度値の比率に基づいて前記輝度比情報を決定し、前記輝度比テーブルを生成することを特徴とする請求項２に記載の画像処理装置。
【請求項４】
前記輝度比テーブル生成部は、
前記輝度比情報に対して、線形補間もしくは非線形補間を行い、前記輝度比テーブルを生成することを特徴とする請求項２または請求項３に記載の画像処理装置。
【請求項５】
前記輝度比テーブル生成部は、
前記画像形成部が前記画像形成出力を行う媒体ごとに、前記輝度比テーブルを生成する請求項２から請求項４のいずれか一項に記載の画像処理装置。
【請求項６】
前記着色剤量算出部は、
カラーモードがＲＧＢであるＲＧＢ描画情報をカラーモードがＣＭＹＫであるＣＭＹＫ描画情報に変換し、前記着色剤の量を、前記画素ごとに前記ＣＭＹＫ描画情報に基づいて算出することを特徴とする請求項１から請求項５のいずれか一項に記載の画像処理装置。
【請求項７】
前記着色剤量算出部は、
前記ＲＧＢ描画情報に対して、カラープロファイルを使用するかもしくは補色変換を行うことによって変換された前記ＣＭＹＫ描画情報に基づいて、前記画素ごとに前記着色剤の量を算出することを特徴とする請求項６に記載の画像処理装置。
【請求項８】
前記輝度比適用情報は、前記輝度比情報を所定の形状で前記画素に対して適用させるか否かが定められた情報であって、
前記補正後出力結果情報生成部は、
前記輝度比適用情報と前記輝度比情報とに基づいて、前記出力結果情報に対して所定の前記形状に相当する領域の前記画素に対して輝度補正を行い、前記補正後出力結果情報を生成することを特徴とする請求項１から請求項７のいずれか一項に記載の画像処理装置。
【請求項９】
画像形成部が画像形成出力に際して参照する描画情報に基づいて生成された情報であって前記画像形成出力の結果を示す情報である出力結果情報を生成し、
前記画像形成部が前記画像形成出力に際して画素ごとに使用される着色剤の量を、前記描画情報に基づいて算出し、
前記着色剤の量ごとに決定される輝度比情報である輝度比テーブルおよび前記着色剤の量の情報に基づいて、前記画素に適用させる輝度比を当該画素ごとに算出し、
前記輝度比を前記画素に適用させるか否かが定められた情報である輝度比適用情報と算出された前記輝度比とに基づいて、前記出力結果情報に対して輝度補正を実行して補正後出力結果情報を生成し、
前記補正後出力結果情報を表示部に表示させることを特徴とする画像処理方法。
【請求項１０】
画像形成部が画像形成出力に際して参照する描画情報に基づいて生成された情報であって前記画像形成出力の結果を示す情報である出力結果情報を生成するステップと、
前記画像形成部が前記画像形成出力に際して画素ごとに使用される着色剤の量を、前記描画情報に基づいて算出するステップと、
前記着色剤の量ごとに決定される輝度比情報である輝度比テーブルおよび前記着色剤の量の情報に基づいて、前記画素に適用させる輝度比を当該画素ごとに算出するステップと、
前記輝度比を前記画素に適用させるか否かが定められた情報である輝度比適用情報と算出された前記輝度比とに基づいて、前記出力結果情報に対して輝度補正を実行して補正後出力結果情報を生成するステップと、
前記補正後出力結果情報を表示部に表示させるステップと、
を実行させることを特徴とする画像処理プログラム。
【発明の詳細な説明】
【技術分野】
【０００１】
本発明は、画像処理装置、画像処理方法、画像処理プログラムに関する。
【背景技術】
【０００２】
紙媒体にトナーなどの着色剤を用いて画像を印刷し、印刷物の仕上がり状態を示す画像をディスプレイなどの表示部に表示させる画像処理装置が知られている。このような画像処理装置には、ディスプレイに表示された印刷物の色や質感の確認を行い、印刷のシミュレーションや校正を行う、いわゆるソフトプルーフという処理を行うことができるものがある。
【０００３】
ソフトプルーフにおいては、印刷物からの光沢成分と拡散成分とを反映させて印刷物のプレビューを行うことにより、印刷物そのものの光沢感や質感をディスプレイ上に表示させることが可能である（例えば、特許文献１参照）。
【０００４】
特許文献１に開示された技術では、サンプル印刷物における正反射光および拡散反射光を測定し、印刷物のプレビュー画像データに測定結果を反映させる。正反射光は、トナーが付着することによって光沢が表れている印刷領域である光沢成分で反射された光であり、拡散反射光はトナーがほとんど付着していない印刷領域である拡散成分で反射された反射光である。
【発明の概要】
【発明が解決しようとする課題】
【０００５】
しかし、特許文献１に開示された技術は、色やトナー量ごとにサンプル印刷物に対して観察照明を照射し、測色器によって正反射光および拡散反射光をそれぞれ測定する必要がある。
【０００６】
上記課題を解決するために、本発明は、印刷物そのものの光沢感や質感を、測色器を用いることなくソフトプルーフに反映させることを目的とする。
【課題を解決するための手段】
【０００７】
上記課題を解決するために、本発明の一態様は、画像形成部が画像形成出力に際して参照する描画情報に基づいて生成された情報であって前記画像形成出力の結果を示す情報である出力結果情報を表示部に表示させる表示制御部と、前記出力結果情報を生成する出力結果情報生成部と、前記画像形成部が前記画像形成出力に際して画素ごとに使用される着色剤の量を、前記描画情報に基づいて算出する着色剤量算出部と、前記着色剤の量ごとに決定される輝度比情報である輝度比テーブルおよび前記着色剤の量の情報に基づいて、前記画素に適用させる輝度比を当該画素ごとに算出する輝度比情報算出部と、前記輝度比を前記画素に適用させるか否かが定められた情報である輝度比適用情報と算出された前記輝度比とに基づいて、前記出力結果情報に対して輝度補正を実行して補正後出力結果情報を生成する補正後出力結果情報生成部と、を含み、前記表示制御部は、前記補正後出力結果情報を前記表示部に表示させることを特徴とする。
【発明の効果】
【０００８】
本発明によれば、印刷物そのものの光沢感や質感を、測色器を用いることなくソフトプルーフに反映させることができる。
【図面の簡単な説明】
【０００９】
【図１】本発明の実施形態に係る画像処理システムの運用形態を示す図。
【図２】本発明の実施形態に係る画像処理装置のハードウェア構成を示す図。
【図３】本発明の実施形態に係る画像形成装置の機能構成を示す図。
【図４】本発明の実施形態に係る画像処理部の機能構成を示す図。
【図５】本発明の実施形態に係るプレビュー画像補正部の機能構成を示す図。
【図６】本発明の実施形態に係る輝度値を指定する際の観察照明と印刷物との位置関係を示す図。
【図７】本発明の実施形態に係る印刷物に映り込む観察照明を示す図。
【図８】本発明の実施形態に係る輝度比指定画面を示す図。
【図９】本発明の実施形態に係る輝度比カーブを示す図。
【図１０】本発明の実施形態に係る輝度比テーブルを示す図。
【図１１】本発明の実施形態に係る輝度比テーブルを生成する処理の流れを示すフローチャート。
【図１２】本発明の実施形態に係る輝度補正プレビュー画像データを生成する処理の流れを示すフローチャート。
【発明を実施するための形態】
【００１０】
以下、図面を参照して、本発明の実施形態について説明する。本実施形態においては、ユーザが操作するクライアント端末であるＰＣなどの情報処理装置から受信した印刷データを印刷する画像処理システムについて説明する。
【００１１】
図１は、本実施形態に係る画像処理システム４の運用形態を例示した図である。図１に示すように、本実施形態に係る画像処理システム４は、画像処理装置１、表示部２、操作部３を含む。
【００１２】
画像処理装置１は、コントローラ１００、ネットワークＩ／Ｆ１０８、プリントエンジン１０６を含む。コントローラ１００は、プリントエンジン１０６に印刷出力を実行させるための制御部であり、プリントエンジン１０６は、画像形成部として機能する。また、コントローラ１００は、プリントエンジン１０６が印刷出力を実行する際に参照する画像データであるラスターデータを生成する。ラスターデータは、印刷対象のデータが描画された描画情報である。画像処理装置１は、ＮＩＣ（Ｎｅｔｗｏｒｋ  Ｉｎｔｅｒｆａｃｅ  Ｃａｒｄ）などによって構成されるネットワークＩ／Ｆ１０８を介して印刷対象のデータを受信する。
【００１３】
表示部２は、画像処理装置１において画像形成出力を行う際に、出力結果情報であるプレビュー画像を表示する液晶ディスプレイなどの表示装置である。操作部３は、プレビュー画像に対して補正を行う際に、画像処理システム４のユーザ７が情報を入力するために操作するキーボードなどの入力装置である。表示部２および操作部３は、画像処理装置１とネットワークを介して接続される。なお、表示部２および操作部３は、ＰＣなどの情報処理装置の一部として構成されてもよい。
【００１４】
本実施形態においては、印刷物６（図６を参照）と表示部２に表示された画像とに基づいて、画像処理システム４のユーザ７の主観に基づいて決定された輝度の比率が画像処理装置１に送信される。そして、その輝度の比率を用いてプレビュー画像を表示させることにより、ユーザ７が見た印刷物６とプレビュー画像との画像の差異を小さくすることが本発明の要旨である。
【００１５】
次に、本実施形態に係る画像処理装置１のハードウェア構成について説明する。図２は、本実施形態に係る画像処理装置１のハードウェア構成を示すブロック図である。図２に示すように、本実施形態に係る画像処理装置１はＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０およびＩ／Ｆ５０がバス９０を介して接続されている。
【００１６】
なお、表示部２および操作部３がＰＣとして構成される場合、このＰＣは、画像処理装置１と同様のハードウェアによって構成される。このとき、画像処理装置１は、Ｉ／Ｆ５０を介してＬＣＤ（Ｌｉｑｕｉｄ  Ｃｒｙｓｔａｌ  Ｄｉｓｐｌａｙ）６０、操作部３とは異なる操作部７０が接続されて構成されてもよい。
【００１７】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。
【００１８】
Ｉ／Ｆ５０は、バス９０と各種のハードウェアやネットワーク等を接続し制御する。ＬＣＤ６０は、ユーザ７が画像処理装置１の状態を確認するための表示部である。操作部７０は、ユーザ７が画像処理装置１において、印刷設定などの情報を入力するための入力部であり、本実施形態においては、タッチパネルやハードキー等によって構成されてもよい。
【００１９】
このようなハードウェア構成において、ＲＯＭ３０やＨＤＤ４０もしくは光学ディスク等の記憶媒体に格納されたプログラムがＲＡＭ２０に読み出され、ＣＰＵ１０がそれらのプログラムに従って演算を行うことにより、画像処理装置１におけるソフトウェア制御部がそれぞれ構成される。このようにして構成されたソフトウェア制御部と、ハードウェアとの組み合わせによって、画像処理装置１の機能を実現する機能ブロックが構成される。
【００２０】
次に本実施形態に係る画像処理装置１の機能構成について図３を参照して説明する。図３は、本実施形態に係る画像処理装置１の機能構成を示す機能ブロック図である。図３に示すように、本実施形態に係る画像処理装置１は、コントローラ１００、ディスプレイパネル１０４、給紙テーブル１０５、プリントエンジン１０６、排紙トレイ１０７、ネットワークＩ／Ｆ１０８を含む。
【００２１】
ディスプレイパネル１０４は、画像処理装置１の状態を視覚的に表示するＬＣＤ６０などの表示部であると共に、タッチパネルとしてユーザ７が画像処理装置１を直接操作し、もしくは画像処理装置１に対して情報を入力する際に操作する操作部７０でもある。すなわち、ディスプレイパネル１０４は、ユーザ７による操作を受けるための画像を表示する機能を含む。ディスプレイパネル１０４は、図２に示すＬＣＤ６０および操作部７０によって実現される。
【００２２】
ネットワークＩ／Ｆ１０８は、画像処理装置１がネットワークを介して他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１０８は、ＴＣＰ／ＩＰプロトコルによる通信が可能である。ネットワークＩ／Ｆ１０８は、図２に示すＩ／Ｆ５０によって実現される。
【００２３】
コントローラ１００は、ソフトウェアとハードウェアとの組み合わせによって構成される。具体的には、ＲＯＭ３０や不揮発性メモリならびにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って演算を行うことにより構成されるソフトウェア制御部と集積回路などのハードウェアとによってコントローラ１００が構成される。コントローラ１００は、画像処理装置１全体を制御する制御部として機能する。
【００２４】
主制御部１１０は、コントローラ１００に含まれる各部を制御する役割を担い、コントローラ１００の各部に命令を与える。エンジン制御部１２０は、プリントエンジン１０６等を制御もしくは駆動する駆動手段としての役割を担う。画像処理部１３０は、主制御部１１０の制御に従い、印刷出力すべき画像情報に基づいて描画情報を生成する。この描画情報とは、画像形成部であるプリントエンジン１０６が画像形成動作において形成すべき画像を描画するための情報である。
【００２５】
また、画像処理部１３０は、ネットワークＩ／Ｆ１０８から入力される撮像データを処理し、画像データを生成する。この画像データとは、画像処理装置１の記憶領域に格納される情報もしくはネットワークＩ／Ｆ１０８を介して他の情報処理端末や記憶装置に送信される情報である。
【００２６】
操作表示制御部１４０は、ディスプレイパネル１０４に情報表示を行いもしくはディスプレイパネル１０４を介して入力された情報を主制御部１１０に通知する。入出力制御部１５０は、ネットワークＩ／Ｆ１０８を介して入力される情報を主制御部１１０に入力する。また、主制御部１１０は、入出力制御部１５０を制御し、ネットワークＩ／Ｆ１０８およびネットワークを介してネットワークに接続された他の機器にアクセスする。
【００２７】
画像処理装置１がプリンタとして動作する場合は、まず、入出力制御部１５０がネットワークＩ／Ｆ１０８を介して印刷ジョブを受信する。入出力制御部１５０は、受信した印刷ジョブを主制御部１１０に転送する。主制御部１１０は、印刷ジョブを受信すると、画像処理部１３０を制御して印刷ジョブに含まれる文書情報もしくは画像情報に基づいて描画情報（描画データ）を生成させる。
【００２８】
画像処理部１３０によって描画情報が生成されると、エンジン制御部１２０は、プリントエンジン１０６を制御し、上記生成された描画情報に基づいて、給紙テーブル１０５から搬送される用紙に対して画像形成を実行させる。すなわち、画像処理部１３０、エンジン制御部１２０およびプリントエンジン１０６が画像形成出力部として機能する。プリントエンジン１０６の具体的態様としては、インクジェット方式による画像形成機構や電子写真方式による画像形成機構等を用いることが可能である。プリントエンジン１０６によって画像形成が施された文書は排紙トレイ１０７に排紙される。
【００２９】
画像処理装置１が複写機として動作する場合は、画像処理部１３０が生成した画像情報に基づいて、画像処理部１３０が描画情報を生成する。その描画情報に基づいてプリンタ動作の場合と同様に、エンジン制御部１２０がプリントエンジン１０６を駆動する。なお、描画情報と撮像情報との情報形式が同一である場合は、撮像情報をそのまま描画情報として用いることも可能である。
【００３０】
以上説明したような機能構成であって、本実施形態に係る画像処理装置１は、画像処理部１３０において生成された描画情報のプレビューを行うときの態様に特徴を有す。画像処理部１３０は、描画情報に基づいてプレビュー画像データを生成する。次に、本実施形態に係る画像処理部１３０の機能構成について図４を参照して説明する。
【００３１】
図４は、本実施形態に係る画像処理部１３０の機能構成を示す機能ブロック図である。本実施形態に係る画像処理部１３０は、ラスタライズ処理部１３１、プレビュー画像補正部１３２を含む。
【００３２】
ラスタライズ処理部１３１は、主制御部１１０から受信した文書情報もしくは画像情報に基づいて描画情報であるラスターデータを生成する。なお、ラスタライズ処理部１３１は、ＲＧＢ（Ｒｅｄ，Ｇｒｅｅｎ，Ｂｌｕｅ）およびＣＭＹＫ（Ｃｙａｎ，Ｍａｇｅｎｔａ，Ｙｅｌｌｏｗ，ｂｌａｃＫ）のいずれかのカラーモードでラスターデータを生成する。また、ラスタライズ処理部１３１は、生成したラスターデータをプレビュー画像補正部１３２に入力する。
【００３３】
プレビュー画像補正部１３２は、受信したラスター画像に基づいて表示部２に表示させるプレビュー画像データを生成する際に、プレビュー画像データの補正を行う。図５は、本実施形態に係るプレビュー画像補正部１３２の機能構成を示す機能ブロック図である。次に、図５を参照して、プレビュー画像補正部１３２の構成について説明する。
【００３４】
プレビュー画像補正部１３２は、輝度補正部２１０、輝度比テーブル設定部２２０を含む。輝度補正部２１０は、プレビュー画像データに対して輝度の補正を行う。輝度比テーブル設定部２２０は、ユーザ７によって指定されたカラーパッチにおける輝度比の情報に基づいて、輝度比テーブルを設定する。輝度比テーブル設定部２２０についての詳細は後述する。
【００３５】
輝度補正部２１０は、図５に示すように、プレビュー画像生成部２１１、トナー付着量算出部２１２、輝度比データ算出部２１３、輝度補正プレビューデータ生成部２１４を含む。プレビュー画像生成部２１１は、ラスタライズ処理部１３１から受信したカラーモードがＲＧＢであるラスターデータに基づいて、プレビュー画像データを生成する。したがって、プレビュー画像生成部２１１は、出力結果情報生成部として機能する。
【００３６】
トナー付着量算出部２１２は、ラスタライズ処理部１３１から受信したカラーモードがＲＧＢであるラスターデータを、カラープロファイルを用いるか、もしくは、補色変換を行うことによってカラーモードがＣＭＹＫのラスターデータに変換する。
【００３７】
トナー付着量算出部２１２は、補色変換によってＣＭＹの値をそれぞれ、Ｃ＝１００−Ｒ／２５５×１００、Ｍ＝１００−Ｇ／２５５×１００、Ｙ＝１００−Ｂ／２５５×１００の式を用いて算出し、ＧＣＲ（Ｇｒａｙ  Ｃｏｍｐｏｎｅｎｔ  Ｒｅｐｌａｃｅｍｅｎｔ）やＵＣＲ（Ｕｎｄｅｒ  Ｃｏｌｏｒ  Ｒｅｍｏｖａｌ）によってＫの値を算出してもよい。
【００３８】
そして、トナー付着量算出部２１２は、ＣＭＹＫのラスターデータに基づいて、画素ごとにＣＭＹＫそれぞれのトナー量を合計したトナー量を算出する。このように算出されるトナー量は、プリントエンジン１０６において画像形成出力が実行される際に使用されるトナー量であって、用紙の印刷領域において画素ごとに付着するトナー付着量に相当する。したがって、トナー付着量算出部２１２は、ＲＧＢ描画情報をＣＭＹＫ描画情報に変換し、このＣＭＹＫ描画情報に基づいて、着色剤であるトナーが用紙に付着する量、すなわち、印刷において使用されるトナー量を算出する着色剤量算出部として機能する。
【００３９】
輝度比データ算出部２１３は、トナー付着量算出部２１２によって算出されたトナー付着量、および、後述する輝度比テーブルに基づいて、画素ごとに輝度比を算出する輝度比情報算出部である。なお、本実施形態に係る「輝度比」とは、印刷領域における光沢成分および拡散成分それぞれにおける輝度の比率のことを示す。輝度比データ算出部２１３によって算出された輝度比を示す輝度比情報（以後、「輝度比データ」）は、輝度補正プレビューデータ生成部２１４に入力される。
【００４０】
輝度補正プレビューデータ生成部２１４は、主制御部１１０から画像処理部１３０に入力された照明データを受信する。照明データとは、原稿データと同じ画像サイズのマスク画像であり、照明が映り込む画素は「１」、それ以外の画素は「０」の値をもつデータである。
【００４１】
そして、輝度補正プレビューデータ生成部２１４は、プレビュー画像生成部２１１によって生成されたプレビュー画像データに対して輝度比データおよび照明データを反映させた補正後出力結果情報である輝度補正プレビューデータを生成する。したがって、輝度補正プレビューデータ生成部２１４は、補正後出力結果情報生成部として機能する。輝度補正プレビューデータ生成部２１４は、生成した輝度補正プレビューデータを主制御部１１０に送信する。
【００４２】
輝度比テーブル設定部２２０は、輝度比指定部２２１、輝度比テーブル生成部２２２、輝度比テーブル記憶部２２３を含む。輝度比指定部２２１は、トナー付着量に応じたカラーパッチが印刷された印刷物６と、表示部２に表示されたトナー付着量に応じたカラーパッチとの比較結果に基づいて画像処理システム４のユーザ７が指定したカラーパッチに基づいて、輝度値の比率を指定する。印刷物６とカラーパッチとを比較する際の態様については後述する。
【００４３】
輝度比テーブル生成部２２２は、指定されたカラーパッチの輝度比に基づいて、輝度比テーブルを生成する。なお、輝度比テーブル生成部２２２は、表示部２に表示されている以外のトナー付着量での輝度比を補間し、トナー量０％からトナー量４００％の各値の輝度比が算出された輝度比テーブルを生成する。輝度比テーブル記憶部２２３は、生成された輝度比テーブルを記憶する記憶領域である。
【００４４】
以上説明したような構成によって、本実施形態に係る画像処理装置１は、印刷物６とカラーパッチとを比較し、ユーザ７の主観によって任意に選択されたカラーパッチに基づいて算出された輝度比をプレビュー画像データに反映させることができる。次に、本実施形態に係る印刷物６とカラーパッチとを比較して、ユーザ７の主観に基づく輝度値を指定する操作を行う際の態様について説明する。
【００４５】
図６は、本実施形態に係る輝度値をユーザ７が指定する操作環境における、観察照明５と印刷物６との位置関係の例を示す図である。なお、観察照明５とは、例えば、蛍光灯、白色灯など測定に用いられる照明光源のことである。また、観察照明５として、棒状の観察照明５Ａもしくはボール球状の観察照明５Ｂなどを用いてもよい。
【００４６】
印刷物６は、さまざまな種類、例えば、光沢紙や普通紙などの用紙に、パターン画像が印刷されたものである。印刷物６に印刷されているパターン画像は、例えばトナー量が５０％、１００％、２００％からなる一様の画像からなる。したがって、印刷物６に使用されている用紙の種類によって、トナー量が同じだとしても、パターン画像の正反射成分と拡散反射成分は異なる。
【００４７】
図６では、棒状の観察照明５Ａが印刷物６に映り込んでいる様子を映り込み５ａにて示している。なお、ボール球状の観察照明５Ｂが印刷物６に映り込んだ場合には、図７に示すような映り込み５ｂが発生する。画像処理システム４のユーザ７は、図６において矢印ＣからＤの方向に印刷物６および表示部２を観察する。
【００４８】
ユーザ７は、表示部２に表示されたカラーパッチと映り込み５ａを伴う印刷物６とを比較して結果、表示部２に表示されている複数のカラーパッチの中から、観察によって得られる印刷物のパターン画像に合致すると認識した任意のカラーパッチを選択する。
【００４９】
図８は、本実施形態に係る表示部２に表示される輝度比指定画面８０を示す図である。図８に示すように、輝度比指定画面８０には、トナー付着量が異なる複数個のカラーパッチが配列されている。輝度比指定画面８０において宇治される各カラーパッチのそれぞれには、映り込み５ａの輝度値が異なる領域が含まれている。図８は、トナー付着量５０％のカラーパッチ８１、８２、８３、トナー付着量１００％のカラーパッチ８４、８５、８６、トナー付着量２００％のカラーパッチ８７、８８、８９をそれぞれ表示した例である。
【００５０】
なお、図８において、カラーパッチ８１〜８９の映り込み５ａの輝度は、その値が小さいものほど、密度の大きいパターンを用いて表現している。画像処理システム４のユーザ７は、トナー付着量５０％の印刷物６、トナー付着量１００％の印刷物６、トナー付着量２００％で印刷された印刷物６とカラーパッチ８１〜８９とをそれぞれ比較する。
【００５１】
ユーザ７は、それぞれの印刷物６の色や光沢感と近いと感じるものをカラーパッチ８１、８２、８３のなかからひとつ、カラーパッチ８４、８５、８６のなかからひとつ、カラーパッチ８７、８８、８９のなかからひとつ選択する。
【００５２】
そして、選択したカラーパッチを指定するためのチェックボックス（例えば、カラーパッチ８３、８５、８７を選択した場合には、チェックボックス９３、９５、９７）を、それぞれ操作部３を操作して指定する。
【００５３】
なお、表示部２に表示させるカラーパッチのトナー付着量の種類を増やせば、画像処理システム４のユーザ７の主観をさらに正確に反映させたプレビュー画像データの補正を行うことができる。また、カラーパッチのトナー付着量の種類を増やすかわりに、図８において例示したトナー付着量以外の中間値に相当するトナー付着量に対する輝度比を演算処理によって算出してもよい。
【００５４】
例えば、トナー付着量７５％、トナー付着量１５０％に対応する輝度比を、図８を用いて選択された輝度値を用いて線形補間することで算出することもできる。これによって、ユーザ７の主観に基づいて指定されたカラーパッチの種類よりも多くの輝度比を用いて、より詳細にユーザ７の主観を反映させたプレビュー画像データの補正を行うこともできる。
【００５５】
輝度比指定部２２１は、カラーパッチのトナー付着量の情報と、そのトナー付着量のどのカラーパッチが選択されたかを示す情報を輝度比テーブル生成部２２２に入力する。輝度比指定部２２１は、例えば、チェックボックス９３、９５、９７が選択された場合に、トナー付着量５０％は「３」、トナー付着量１００％は「２」、トナー付着量２００％は「１」を示す情報を輝度比テーブル生成部２２２に入力する。
【００５６】
輝度比テーブル生成部２２２は、選択されたカラーパッチを示す情報とトナー付着量の情報とに基づいて、図９に示すような輝度比カーブを生成する。図９に示すように、本実施形態に係る輝度比カーブは、トナー付着量の情報と、トナー付着量ごとにどのカラーパッチが選択されたかを示す情報と、を含む。
【００５７】
なお、輝度比テーブル生成部２２２は、トナー付着量の値を補間して、トナー付着量０％からトナー付着量４００％までの輝度比を算出し、輝度比カーブを生成する。輝度比テーブル生成部２２２は、トナー付着量の値を補間する際に、例えば、線形補間法や、非線形補間法であるラグランジュ補間やスプライン補間を用いてもよい。
【００５８】
そして、輝度比テーブル生成部２２２は、輝度比カーブに基づいて輝度比テーブルを生成する。図１０は、本実施形態に係る輝度比テーブルを示す図である。輝度比テーブル生成部２２２は、輝度比カーブに基づいて、トナー付着量と輝度比との関係を記述し、輝度比テーブルを生成する。なお、図１０に示す輝度比テーブルにおいては、１０％ずつトナー付着量を変更させながら、トナー量と輝度比との関係を記述している。
【００５９】
輝度比テーブル記憶部２２３は、輝度比テーブルが生成される際の用紙の種類や観察照明の種類などを、その輝度比テーブルに関連付けて記憶する。したがって、あらかじめいくつかの種類の用紙の情報や観察照明５の種類の情報が関連付けられた輝度比テーブルをあらかじめ作成しておき、輝度比テーブル記憶部２２３が、その輝度比テーブルと用紙の種類の情報や観察照明の種類の情報とを関連付けて記憶する構成であってもよい。
【００６０】
本実施形態に係る画像処理装置１は、ユーザ７の主観によって印刷物６と似ていると判断されたカラーパッチに基づいて輝度比を決定し、決定した輝度比をプレビュー画像データに反映させる。そのため、プレビュー画像データの補正を行う前に、プレビュー画像データを補正するための輝度比を決定する。
【００６１】
次に、本実施形態に係る画像処理システム４において、輝度比テーブルを生成する処理について、図１１を参照して説明する。図１１は、本実施形態に係る輝度比テーブルを生成する処理の流れを示すフローチャートである。
【００６２】
画像処理システム４のユーザ７は、操作部３を操作して、観察照明５の種類および印刷物６に使用されている用紙の種類を入力する（Ｓ１１０１）。そして、入力された観察照明５の種類および印刷物６に使用されている用紙の種類に関連付けられている輝度比テーブルが存在しない場合、輝度比指定部２２１は、図８に示すようなカラーパッチ８１〜８９が表示された画面である輝度比指定画面８０を表示部２に表示させる（Ｓ１１０２）。
【００６３】
すでに説明したとおり、輝度比指定画面８０には、トナー付着量５０％のカラーパッチ８１、８２、８３、トナー付着量１００％のカラーパッチ８４、８５、８６、トナー付着量２００％のカラーパッチ８７、８８、８９がそれぞれ表示される。
【００６４】
ユーザ７は、それぞれがトナー付着量５０％、トナー付着量１００％、トナー付着量２００％で印刷された印刷物６とカラーパッチ８１〜８９とをそれぞれ比較する。そして、ユーザ７は、主観によって、それぞれの印刷物６の色と近いと感じるものをカラーパッチ８１、８２、８３のなかからひとつ、カラーパッチ８４、８５、８６のなかからひとつ、カラーパッチ８７、８８、８９のなかからひとつ、それぞれどれを選択するかを決めて、その決定に基づいて操作部３を操作して指定する。
【００６５】
輝度比指定部２２１は、入出力制御部１５０を介し操作部３の操作を受け付けて、選択されたカラーパッチの情報に基づいて、トナー付着量ごとに輝度比を選択する（Ｓ１１０３）。全てのトナー付着量ごとに輝度比が選択されると（Ｓ１１０４／ＹＥＳ）、輝度比指定部２２１は、カラーパッチのトナー付着量の情報と、そのトナー付着量のどのカラーパッチが選択されたかを示す情報を輝度比テーブル生成部２２２に入力する。
【００６６】
輝度比指定部２２１は、全てのトナー付着量ごとにカラーパッチが選択されておらず、輝度比が選択されていない場合（Ｓ１１０４／ＮＯ）、表示部２に他のトナー付着量についてもカラーパッチの選択を行うことを通知する画面を表示部２に表示させる。
【００６７】
輝度比テーブル生成部２２２は、カラーパッチのトナー付着量の情報と、そのトナー付着量のどのカラーパッチが選択されたかを示す情報に基づいて図９に示すような輝度比カーブを生成する（Ｓ１１０５）。輝度比テーブル生成部２２２は、トナー付着量の値を補間して、輝度比カーブを生成する。
【００６８】
そして、輝度比テーブル生成部２２２は、輝度比カーブに基づいて、トナー付着量と輝度比との関係を記述した輝度比テーブルを生成し（Ｓ１１０６）、生成した輝度比テーブルを輝度比テーブル記憶部２２３に入力する。輝度比テーブル記憶部２２３は、生成された輝度比テーブルを記憶する（Ｓ１１０７）。
【００６９】
このように生成された輝度比テーブルに基づいて、本実施形態に係る画像処理システム４は、プレビュー画像データを補正し、表示部２に表示させる。次に、本実施形態に係る、輝度が補正されたプレビュー画像データを生成する処理の流れについて図１２を参照して説明する。図１２は、本実施形態に係る輝度補正プレビュー画像データを生成する処理の流れを示すフローチャートである。
【００７０】
まず、画像処理装置１に対して、画像処理システム４のユーザ７の操作に基づいて原稿データが入力される。ユーザ７は、原稿データを印刷するにあたり、印刷に使用する用紙や、画像処理装置１周辺の照明の状況などを、操作部３を操作して入力する。
【００７１】
主制御部１１０によって画像処理部１３０に原稿データが入力されると（Ｓ１２０１）、ラスタライズ処理部１３１は、原稿データに基づいてカラーモードがＲＧＢであるラスターデータを生成する（Ｓ１２０２）。ラスタライズ処理部１３１は、生成したラスターデータをプレビュー画像補正部１３２に入力する。
【００７２】
プレビュー画像生成部２１１は、入力されたラスターデータに基づいてプレビュー画像データを生成し（Ｓ１２０３）、プレビュー画像データを輝度補正プレビューデータ生成部２１４に入力する。また、トナー付着量算出部２１２は、入力されたカラーモードがＲＧＢであるラスターデータを、カラーモードがＣＭＹＫのラスターデータに変換する。そして、ＣＭＹＫのラスターデータに基づいて、画素ごとにＣＭＹＫのそれぞれのトナー量を合計したトナー付着量を算出する（Ｓ１２０４）。
【００７３】
輝度比データ算出部２１３は、操作部３から画像処理装置１に入力された印刷に使用する用紙や画像処理装置１周辺の照明の状況の情報に基づいて、輝度比テーブル記憶部２２３に記憶されている輝度比テーブルを読み込む（Ｓ１２０５）。
【００７４】
輝度比データ算出部２１３は、輝度比テーブルを読み込むと、Ｓ１２０４で算出された画素ごとのトナー付着量と輝度比テーブルとに基づいて、それぞれの画素について輝度比データを算出する（Ｓ１２０６）。輝度比データ算出部２１３によって算出された画素ごとの輝度比データは、輝度補正プレビューデータ生成部２１４に入力される。
【００７５】
なお、輝度比データ算出部２１３は、Ｓ１２０６の処理において、輝度比テーブルを読み込み、画素ごとのトナー付着量と輝度比の値とを線形補間し、図９に示すような輝度比カーブを生成してもよい。
【００７６】
輝度補正プレビューデータ生成部２１４は、プレビュー画像生成部２１１からプレビュー画像データを、輝度比データ算出部２１３から画素ごとの輝度比データをそれぞれ受け取る。次に、輝度補正プレビューデータ生成部２１４は、照明データを、主制御部１１０を介して取得し、照明データのそれぞれの画素の値を参照し、プレビュー画像データに対して輝度補正を行う（Ｓ１２０７）。
【００７７】
照明データの画素が「１」の値を持つ場合、輝度補正プレビューデータ生成部２１４は、プレビュー画像データのＲＧＢそれぞれの値に対して、同じ画素位置の輝度比データの値を乗算する。照明データの画素が「０」の値を持つ場合、輝度補正プレビューデータ生成部２１４は、プレビュー画像データのＲＧＢの値をそのまま保持する。
【００７８】
したがって、照明データは、画素ごとに輝度比情報を適用させるか否かが定められた輝度比適用情報である。なお、照明データにおいて観察照明５の所定の形状、例えば、観察照明５Ａや観察照明５Ｂなどと同様の形状および大きさに相当する領域の画素に「１」の値を持たせる構成であってもよい。
【００７９】
輝度補正プレビューデータ生成部２１４は、照明データに含まれる全ての画素について輝度補正を行われたかどうかチェックする（Ｓ１２０８）。輝度補正プレビューデータ生成部２１４は、照明データに含まれる全ての画素について輝度補正を行われると（Ｓ１２０８／ＹＥＳ）、輝度補正が行われたプレビュー画像データに基づいて、輝度補正後のプレビュー画像データを生成し、主制御部１１０に送信する（Ｓ１２０９）。
【００８０】
主制御部１１０は、輝度補正後のプレビュー画像データを受け取ると、入出力制御部１５０を介して表示部２に表示させる。以上説明したように、本実施形態に係る画像処理システム４においては、測色器などを用いることなく印刷物６そのものの光沢感や質感をディスプレイに表示される印刷物６に反映させることができる。
【００８１】
さらに、本実施形態においては、画像処理システム４のユーザ７の主観に基づいて決定された輝度比を用いて輝度補正を行う。そのため、物理的に計測された正反射光や拡散反射光に基づいて行う輝度補正と比較して、よりユーザ７が視認した印刷物６の光沢感や質感をディスプレイに表示される印刷物６に反映させることができる。
【００８２】
なお、Ｓ１１０３の処理において、トナー付着量５０％の印刷物６をＣＭＹがそれぞれおよそ１７％ずつの付着量で印刷されたものか、もしくは、Ｋのみを５０％用いて印刷されたものを用いることができる。このとき、トナー付着量５０％の印刷物６がＣＭＹの混色画像であった場合、トナー付着量１００％の印刷物６もＣＭＹの混色画像を用いることが望ましい。
【００８３】
また、Ｋ単色では、トナー付着量が２００％の印刷物６を印刷することができない。そのため、トナー付着量が１００％から３００％までの範囲においては、ＣＭＹが等量となるように印刷された印刷物６を用いることが望ましい。
【符号の説明】
【００８４】
１  画像処理装置
２  表示部
３  操作部
４  画像処理システム
５  観察照明
６  印刷物６
７  ユーザ７
１０  ＣＰＵ
２０  ＲＡＭ
３０  ＲＯＭ
４０  ＨＤＤ
５０  インタフェース
６０  ＬＣＤ
７０  操作部
９０  バス
１００  コントローラ
１０４  ディスプレイパネル
１０５  給紙テーブル
１０６  プリントエンジン
１０７  排紙トレイ
１０８  ネットワークＩ／Ｆ
１１０  主制御部
１２０  エンジン制御部
１３０  画像処理部
１３１  ラスタライズ処理部
１３２  プレビュー画像補正部
１４０  操作表示制御部
１５０  入出力制御部
２１０  輝度補正部
２１１  プレビュー画像生成部
２１２  トナー付着量算出部
２１３  輝度比データ算出部
２１４  輝度補正プレビューデータ生成部
２２０  輝度比テーブル設定部
２１１  輝度比指定部
２１２  輝度比テーブル生成部
２１３  輝度比テーブル記憶部
【先行技術文献】
【特許文献】
【００８５】
【特許文献１】特開２０１２−４４４２１号公報
【図１】
2018088589.tif 000003
【図２】
2018088589.tif 000004
【図３】
2018088589.tif 000005
【図４】
2018088589.tif 000006
【図５】
2018088589.tif 000007
【図６】
2018088589.tif 000008
【図７】
2018088589.tif 000009
【図８】
2018088589.tif 000010
【図９】
2018088589.tif 000011
【図１０】
2018088589.tif 000012
【図１１】
2018088589.tif 000013
【図１２】
2018088589.tif 000014